(57)【要約】【課題】宝探しイベントにおいて、宝物および宝物発見者の管理を人手をかけずに確実に行えるようにする。【解決手段】イベント会場に隠される宝物１０には、その位置を特定できるＧＰＳ(全地球測位システム)手段と、情報の入力が可能で、主催者の管理するサーバ３０にアクセス可能なＰＤＡ、ＣＣＤカメラ等の撮影手段が収容されている。イベントに参加している宝物発見者は、宝物１０内のＰＤＡにより、インターネット２０を通してサーバ３０に対して宝物発見を、自己のＩＤと共に通告する。主催者はサーバ３０により、宝物１０の位置やその発見者の情報を管理する。【選択図】  図１
2004192373.tif 000002
【特許請求の範囲】
【請求項１】
所定地域で隠された宝物を一定期間の間に見つけることを競う宝探しイベントの宝物において、該宝物が情報を入力できる入力手段と、入力された情報を通信ネットワーク手段を介して送信する通信手段とからなる宝物情報手段を備えたことを特徴とする宝探しイベントの宝物。
【請求項２】
該宝物情報手段が撮影した画像の画像信号を出力する撮影手段を備えた請求項１記載の宝探しイベントの宝物。
【請求項３】
該宝物情報手段が宝物の現在位置を測定して位置信号を出力する位置測定手段を備えた請求項１または２記載の宝探しイベントの宝物。
【請求項４】
位置測定手段がＧＰＳにより現在位置を測定するＧＰＳ手段である請求項３記載の宝探しイベントの宝物。
【請求項５】
該宝物情報手段がＰＤＡ、携帯電話またはＰＨＳである請求項1〜４記載のいずれかの宝探しイベントの宝物。
【請求項６】
所定の地域で隠された宝物を一定期間の間に見つけることを競う宝探しイベントを管理するイベント管理システムにおいて、宝物が請求項１〜５記載のいずれかの宝物であって、宝物の宝物情報手段に入力できる参加者を識別する所定の識別手段と、宝物の宝物情報手段からの情報を通信ネットワーク手段を介して受信して処理するサーバとからなり、サーバは宝物から受信した識別手段により該一定期間の間の宝物の発見者を特定して記憶する発見者管理手段を備えたことを特徴とする宝探しイベントのイベント管理システム。
【請求項７】
識別手段がイベントの参加者夫々に予め与えられた参加者を個々に識別できる識別インデックスコード（ＩＤ）である請求項６記載の宝探しイベントのイベント管理システム。
【請求項８】
発見者管理手段に記憶された発見者について、その識別ＩＤにより発見者の適格性を判定して適格者を選別する適格者管理手段を備えた請求項７記載の宝探しイベントのイベント管理システム。
【請求項９】
発見者または適格者管理手段に選別された適格者の中から所定の当選基準により当選者を選定する当選者管理手段を備えた請求項６〜８記載のいずれかの宝探しイベントのイベント管理システム。
【請求項１０】
該宝物情報手段が撮影手段を備え、サーバが伝送された撮影画像を記録する画像管理手段を備えた請求項６〜９記載のいずれかの宝探しイベントのイベント管理システム。
【請求項１１】
該宝物情報手段が宝物の現在位置を測定する位置測定手段を備え、サーバが該現在位置により宝物を管理する宝物管理手段を備えた請求項６〜１０記載のいずれかの宝探しイベントのイベント管理システム。
【請求項１２】
サーバはイベント中の発見者数等のイベント進行状況をインターネットのホームページに掲載する状況提示手段を備えている請求項６〜１１記載のいずれかの宝探しイベントのイベント管理システム。
【請求項１３】
キャンペーン対象の各商品に割り当てた応募ＩＤと、該サーバが該応募ＩＤと個人情報を記入するようにした参加表を表示する参加受付手段と、入力された応募ＩＤの適否を判断する適否判断手段と、適合の場合に識別手段の識別ＩＤと宝物の隠し場所のヒントを該参加表の入力者に提示するイベント提示手段と、入力された参加表のデータを記憶して顧客データベース（ＤＢ）を構築して管理する顧客管理手段と備えた請求項６〜１２記載のいずれかの宝探しイベントのイベント管理システム。
【請求項１４】
商品購入者以外の個人が応募できる応募受付手段を備えた請求項１３記載の宝探しイベントのイベント管理システム。
【請求項１５】
宝探しイベントが複数の所定地域で開催され、参加者は希望の所定地域が選択できる請求項６〜１４記載のいずれかの宝探しイベントのイベント管理システム。
【発明の詳細な説明】
【０００１】
【発明の属する技術分野】
本発明は、所定地域で隠された宝物を一定期間の間に見つけることを競う宝探しイベントの宝物およびイベント管理システムに関し、更に詳しくは商品の販売促進、地域の振興等に効果的な、インターネット等の通信ネットワーク手段を利用した広域管理ができる宝探しイベントの宝物およびイベント管理システムに関する。
【０００２】
【従来の技術】
商品の販促キャンペーンは、新聞等の広告欄に懸賞問題等の課題を載せ、葉書等により誰でも応募できるオープン方式、或いは商品に付されたシール等を添付させて又は商品に付された応募用紙で応募させるクローズ方式等により行われるのが、一般である。そして、葉書、応募用紙に年齢、住所、電話番号等の顧客の属性に関する個人情報を記載させ、顧客情報として利用している。
ところで、インターネットの進展により、この郵便方式に代えてインターネット、電子メール等による電子応募が可能となり、これに関する提案が既に為されている。例えば、特開平１１−６６１５２号公報には、以下の提案がある。すなわち、販売対象のキャンペーン商品にインターネットのＵＲＬ及びＩＤ番号を印刷した添付媒体を付して販売し、その購入者がコンピュータ装置から通信手段を介して商品供給者のインターネットホームページに当該商品のＩＤ番号及び個人情報を送ることで、前記キャンペーンに参画するようにし、購入者から通信手段を介して送られるＩＤ番号及び個人情報を蓄積し、蓄積した個人情報をマーケッテイング情報とすると共に、記憶保存したＩＤ番号に基づいて購入者のコンピュータ装置にキャンペーンでの当選の有無を送信することを特徴とする商品流通システムである。
【０００３】
この提案された商品流通システムは、従来の応募用紙に替えてＩＤ番号を用い、コンピュータでネットワークを介して応募出来るようにし、コンピュータでの処理を可能としたもので、葉書等による応募方式に比べ、処理に必要な人手が少なく、且つ速く処理できる特長がある。
しかし、この商品流通システムの基本となる当選の決め方は、そのＩＤ番号で当選を決めるもので、従来の籤による当選と同じ抽選方法であり、応募者は葉書による応募と同様にネットワークで個人情報を登録し応募するとそのキャンペーン参加に必要なアクションは全て終了し、その後は主催者側で行われる抽選結果を待つのみであり、キャンペーンに参加していることすら記憶に残らない。また、どのように当選が決められるのかその経過が不透明なため、賞品に当たらなかった参加者には不満が残る。これらの点から目的とする商品の需要者への浸透と言う面で問題があった。更に、この商品流通システムを含め従来の葉書、インターネット等で単に応募する方法は、キャンペーンに応募すること自体には面白味はなく、応募手続の面倒臭さが後押しして、応募者すなわち顧客の誘因の面からも問題があった。中でも応募者がそれまでの商品使用者に限定され、既使用者以外の新規な顧客の参加を促す面で大きな問題があった。
【０００４】
かかる問題を解決するものとして、本発明者は先に出願した特願２００１ー２３７２８１号明細書において、以下の販売援助システムを提案した。
すなわち、商品の購入者に景品付イベントへの応募手段を与えることにより該商品の販売を援助する販売援助システムにおいて、商品の購入者に与える各商品に割り当てたコンピュータへ入力可能な応募ＩＤ（インデックス）からなる応募手段と通信手段に接続されたサーバとからなり、該景品付イベントが参加者が直接プレイするイベントであり、該サーバが該応募ＩＤと個人情報を記入するようにした参加表を表示する参加受付手段と、入力された応募ＩＤの適否を判断する適否判断手段と、不適と判断された場合には不適のメッセージを表示する不適表示手段と、適合の場合に該景品付イベントの詳細を該参加表の購入者に提示するイベント提示手段と、入力された参加表のデータを記憶して顧客ＤＢ（データベース）を構築して管理する顧客管理手段と、イベントの回答が入力されるとその回答者とその回答を記憶して参加者ＤＢを構築して管理する回答管理手段と、応募期間終了後に参加者ＤＢの回答者の中の正解者から当選者を決定する当選者決定手段と備えたことを特徴とする販売援助システムを提案した。
【０００５】
【発明が解決しようとする課題】
この提案した販売促進システムにおいてイベントが所定地域で隠された宝物を一定期間の間に見つけることを競う宝探しイベントの場合には、以下のように特に効果的である。すなわち、応募者が単に応募するのみでは当選することはなく、キャンペーン期間中に宝探しイベントの場所に出かけて実際に宝探しをして宝を探し当てることにより当選資格を得るものであり、宝を見つけるまでは関連商品への関心は高く、発見後も期間終了までは自分の他に発見者が出るかどうか等から関心が持続するので、商品の顧客への浸透が前述の従来例に比し大変良くなる。また、イベントが宝探しであり、イベントそのものが面白く更には話題性も生じ、これにより応募者特にそれまでの顧客と異なる属性の新規の顧客が効果的に獲得できる。
なお、この宝探しイベントは、例えば箱根、お台場等の観光地、あるいは遊園地、動物園、公園等の所定地域に宝物を隠し、その隠し場所に関するヒントを参加者に提示してキャンペーン期間等の一定期間の間に宝物を発見した参加者から当選者を選定して景品等与えるものであり、宝物の隠された上述の所定地域に参加者が実際に行って探すことになり、上述の販売促進の他、遊園地、団体旅行の顧客誘引の企画にも利用できる。さらに所定地域を振興したい地方にすることにより、地域振興のイベントとしても利用できる。
【０００６】
ところで、この宝探しイベントを上述のように利用する場合には、多くの地域で開催することになり、その管理面で以下の課題があることが判った。すなわち、それはイベントの最重要事項である発見者の管理に関し、人手を掛けずに確実に発見者を同定でき、記録できることであり、更に好ましくはイベントの進行に重要な宝物の管理に関し、これも人手を掛けずに設定位置に宝物が正常に存在するか否かを管理できることである。
本発明は、かかる課題の解決を目的としたもので、上述の宝探しイベントにおいて人手を掛けずに発見者さらには宝物の管理ができる宝物及びイベント管理システムを提供することを目的とするものである。
【０００７】
【課題を解決するための手段】
前記目的を達成する本発明は以下の２発明によりなる。その一つは、宝探しイベントに用いる宝物に関するもので、所定地域で隠された宝物を一定期間の間に見つけることを競う宝探しイベントの宝物において、情報を入力できる入力手段と、入力された情報を通信ネットワーク手段を介して送信する通信手段を有する宝物情報手段を備えたことを特徴とするものである。
この構成により、参加者に宝物の発見時に名前、識別コード等の個人を識別できる識別手段を宝物に入力させることにより、人手を掛けることなく、発見者を発見と同時に確実に特定できる。その上に必要な場合には発見者が所定の参加資格を有するか否か等の発見者の適格性を確実に審査できる。また、この宝物に発見者等を撮影する撮影手段を設けることにより、当選発表に発見者の写真を掲載でき、また必要な場合には適格性の一層厳密な審査か可能となる。さらに、イベントの進行を妨げる宝物の盗難、あるいは悪戯による移動等のイベント障害及びその犯人の早期発見にも役立つ。更にこの宝物にＧＰＳ（Global Positioning System 全地球測位システム）等によりその現在位置を測定する位置測定手段を設ける構成により、宝物が常に正しい位置にあるかどうか管理でき、上述のイベント障害の管理が一層確実になる。そして、これら構成により、複数のイベントを同時開催する場合にも、人手をそれほど増やすことなく、適切な管理ができ、その効果は一層大きくなる。
【０００８】
他の一つは、宝探しの発見者を管理するイベント管理システムに関するもので、所定の地域で隠された宝物を一定期間の間に見つけることを競う宝探しイベントを管理するイベント管理システムにおいて、宝物が上述の宝物であって、宝物の宝物情報手段に入力できる参加者を識別する所定の識別手段と、宝物の宝物情報手段からの情報を通信ネットワーク手段を介して受信して処理するサーバとからなり、サーバは宝物から受信した識別手段により該一定期間の間の宝物の発見者を特定して記憶する発見者管理手段を備えたことを特徴とする宝探しイベントのイベント管理システムである。
この構成により、宝物の発見者がオンラインで管理できるので、非常に少ない人手により、発見者の管理が発見と同時に確実にできる。従って、期間中の宝物の発見状況を時々刻々把握できるので、発見順序等正確に管理ができる上にその状況を参加者に即時に提示することができ、参加者の競争意識を高め、イベントへの関心を高めることができる。
【０００９】
ところで、上述の構成において、識別手段は氏名、生年月日、電話番号等でもよいが、イベントの参加者夫々に予め与えられた参加者を個々に識別できる識別インデックスコード（ＩＤ）を用いると、参加者の特定が一層確実で、更には参加者を限定することができ、販売キャンペーン、団体旅行等の参加者を限定する必要がある場合への適用に好適となる。そして、発見者管理手段に記憶された発見者について、その識別ＩＤにより発見者の適格性を判定して適格者を選別する適格者管理手段を設けることにより、参加者限定の場合の当選者の選定が確実となる。更に、発見者または適格者管理手段で選別された適格者の中から所定の当選基準により当選者を選定する当選者管理手段を設けることにより、自動的に当選者を選定でき、当選基準をオープンにすることにより明瞭な選定となり、全ての参加者が納得できる選定を行うことができる。
【００１０】
また、このイベント管理システムにおいて、該宝物情報手段が前述の撮影手段を備え、サーバが伝送された撮影画像を記録する画像管理手段を備えた構成により、発見者に識別手段の一つとして自分の撮影画像を入力させるようにすることにより、発見者、当選者等のホームページへの提示を効果的に行うことができる上に、適格者の判断がより確実となる。なお、撮影手段により宝物への接近者を自動撮影して伝送するようにすることにより、宝物の管理を確実にできる上に、宝物の移動等のイベント障害およびその犯人の早期発見が可能となる。この宝物の移動の早期発見は、該宝物情報手段がＧＰＳ等によりその現在位置を測定する位置測定手段を備え、サーバが該現在位置により宝物を管理する宝物管理手段を備えた構成により、即時に確実に行うことができ、イベントの進行を円滑にできる。
【００１１】
さらに、サーバに発見者数、参加者数等のイベントの進行状況をインターネットのホームページに掲載する状況提示手段を設けることにより、宝探しイベントをより一層盛り上げ、エンターテイメント性にあふれた、面白いイベントにできる。
ところで、このイベント管理システムにおいて、キャンペーン対象の各商品に割り当てた応募ＩＤと、該サーバが該応募ＩＤと個人情報を記入するようにした参加表を表示する参加受付手段と、入力された応募ＩＤの適否を判断する適否判断手段と、適合の場合に宝物の隠し場所のヒント及び識別手段の識別ＩＤを該参加表の入力者に提示するイベント提示手段と、入力された参加表のデータを記憶して顧客ＤＢを構築して管理する顧客管理手段とを備えた構成とすることにより、顧客情報が自動的に得られる上に新規顧客も獲得できる販売促進キャンペーンに好適なイベント管理システムが得られる。
【００１２】
そして、このシステムでは、宝探しイベントが複数の所定地域で開催され、参加者が希望の所定地域を選択できる構成が、参加が容易でより多くの応募者を集めることができる点で好ましい。また、商品購入者以外の個人が所定の参加料等により参加できる応募受付手段を備えた構成が、新規な顧客の獲得面から好ましい。
以下、本発明の詳細を販売促進キャンペーンでの実施例に基づいて説明する。
【００１３】
【発明の実施の形態】
図１は、実施例のイベント管理システムの全体構成の説明図である。図２は、宝物の機能ブロック図、図３はサーバの本発明に関わる機能手段の構成説明図、図４〜図７はその処理のフローチャートである。
図１において、１０は所定の各地域に隠された宝物、２０は通信ネットワーク手段のインターネット、３０はイベントを管理するサーバ、４０は参加者のマイコン等の情報端末器であり、宝物１０とサーバ３０、参加者の情報端末器４０とサーバ３０との間はインターネットを介して情報交換ができるようになっている。
【００１４】
宝物１０は、本例では内部に図２に示す構成の宝物情報手段を収納した蓋付の置物となっている。宝物情報手段は、この宝物１０の発見者が必要な情報を入力できる入力手段と入力された情報をインターネット２０に発信する通信手段として、これらの両手段を備えた市販のＰＤＡ（Personal Digital Assistance：携帯デジタル端末）１１を用い、これに、ＧＰＳ信号を受信して所在位置を測定するＧＰＳ手段１２と、画像信号が得られるＣＣＤカメラからなる撮影手段１３とを接続した構成としている。従って、オンラインでインターネットを介して、発見者は宝物の発見と同時に発見者登録ができ、管理者は発見者の識別に必要な情報、宝物１０の所在管理に必要な情報を得ることができるようになっている。なお、ＰＤＡは、インターネットから情報を受信する受信機能、情報を表示する表示機能を備えているので、発見者が登録した場合に登録完了の表示ができる等の利点がある。ところで、ＰＤＡに代えて同種の機能を有する携帯電話、ＰＨＳ等の携帯情報端末も同様に適用できる。なお、発見者の管理には、宝物情報手段は少なくとも上述の入力手段と通信手段を備えていればよい。
【００１５】
情報端末器４０は、インターネットのＷＷＷブラウザ機能と電子メール機能を備えたものであれば良く、コンピュータ、携帯電話、ＰＨＳ、PＤＡ等が適用できる。
サーバ３０は、インターネットのＷＷＷサーバとして周知のホームページ等の基本機能の他、図３に示す本発明の特徴となる各手段並びに各ＤＢ（データベース）を備えた構成となっている。この各構成について、以下本イベント管理システムによる販売援助の手順と共に図を参照して説明する。図３に示すように、サーバ３０には、受付窓口手段３０１、参加受付手段３０２、適否判断手段３０３、イベント提示手段３０４、顧客管理手段３０５、応募受付手段３０６、状況提示手段３０７、適格者管理手段３０８、当選者管理手段３０９、発見者管理手段３１０、画像管理手段３１１、宝物管理手段３１２、画像ＤＢ３１３、位置情報ＤＢ３１４、応募ＩＤＤＢ３１５、識別ＩＤＤＢ３１６、発見者ＤＢ３１７、適格者ＤＢ３１８、参加者ＤＢ３１９、顧客ＤＢ３２０が備えられている。
本例は、キャンペーン商品の購入者等が応募でき、宝探しイベントに応募して参加し、宝物を探し出すと、その順位に応じて景品が与えられるもので、商品の販促に好適なものであり、以下のように行われる。先ず、商品の供給者がキャンペーンする商品に後述する景品付宝探しイベントへ応募できる応募ＩＤ（インデックスコード）が記載された応募手段を付して該商品を販売店等で販売する。本例では、この応募手段は応募者の情報端末器４０で入力できる文字・記号等の組み合わせからなる応募ＩＤとサーバ３０のホームページのＵＲＬを記載したものとしている。そして、この応募ＩＤは本例では商品個々に異なるものとしてあるが、商品種類で区分してもよく、また共通であってもよい。キャンペーンの目的に応じて選択する。
【００１６】
当該商品の購入者は、宝探しイベントに参加する場合は、情報端末器４０から該商品添付の応募手段に記載されたＵＲＬでイベント管理者のサーバ３０のホームページにアクセスする。このホームページでは、表示された案内画面で宝探しイベントを選択する。すると、図４に示すように、宝探しイベントの受付窓口手段のステップに入り、「参加受付」、「応募参加」、「状況表示」の各欄とその内容説明を示す受付選択画面が表示される。そこで、「参加受付」を選択すると、図４に示す参加受付手段のステップに入り、これが起動して応募ＩＤの記入欄と個人情報の記入欄を表にした参加表が表示される。そこで、この表に応募ＩＤと個人情報を入力する（図４の参加表入力ステップ）。この個人情報は、本例では応募者の氏名、年齢、住所、メールアドレス、趣味、購入動機及び商品感想等としている。
入力が完了し、完了を確認する操作本例では「ＯＫ」欄のクリックがされると、図の適否判断手段のステップに進み、入力された応募ＩＤが正式に発行されたものか否かを判断する適否判断の処理が行われる。この適否の判断は本例では商品に付した応募ＩＤ及び後述の有料応募で発行した応募ＩＤを記憶した応募ＩＤデータベース（ＤＢ）の中に入力された応募ＩＤが有るか否か及び既に参加登録が為されていないか否かで行い、有る場合で既登録でない場合を適合、それ以外の場合を不適としている。
【００１７】
そして、適合の場合には、次のステップのイベント提示手段が起動して、当該応募者にイベントの詳細と所定の方法で定めた宝物発見の際の発見者の識別手段となる識別ＩＤを表示する。そして、応募者が必要事項を印刷等により保存し、その完了入力として「ＯＫ」欄をクリックすると、サーバ３０は図示のように顧客管理手段のステップに入る。顧客管理手段は、その識別ＩＤと参加表の内容を顧客ＤＢに保存し、同時に応募ＩＤＤＢの当該ＩＤに登録済みを記憶する。従って、人手を要することなく、上述の個人情報に応募ＩＤ及び識別ＩＤを加えたデータからなる顧客ＤＢが構築される。
不適の場合は、不適表示のステップにより入力された応募ＩＤと共にその旨が表示される。と同時に、訂正要否の欄も表示されるので、応募ＩＤに間違いがあり訂正要の場合は、要をクリックすると参加受付手段のはじめのステップに戻り、この場合は入力したデータが記載された参加表が表示されるので、訂正する。間違いが無く訂正不要の場合は否をクリックすると、連絡先が表示される。それをメモし、「ＯＫ」欄をクッリクすると終了する。そして、別途連絡先に連絡する。なお、不適の理由が登録済みのＩＤの場合はその旨表示される。
【００１８】
なお、本例では、上述のイベントの詳細としては、このキャンペーンが行われている探索地域と、その探索地域の宝物の説明、宝物の隠し場所のヒント、並びに宝物を見つけたときの発見者登録手順等であり、これらが順次示される。本例では、これらは、以下のように提示される。先ず参加表の住所により応募者の住所に最も近い探索地域とその他の選択画面が表示される。そして、その他を選択するとその他の探索地域が一覧表で示された選択画面が表示される。この宝探しの探索地域は例えばお台場、箱根、河口湖等の所定地域あるいは各種の遊園地、公園等である。これらの画面で応募者が希望地域を選択すると、選択された地域での宝物の隠し場所の範囲、イベントの開催期間（宝物の探索期限）、宝物の説明具体的には本例では置物の外形写真が示され、その隠し場所のヒント並びに宝物の蓋の鍵番号が示される。隠し場所のヒントは、その場所に関連する故事来歴、トピックス、文学、地理等の数種類の事項の組み合わせ、あるいはこれらの事項を含めた物語等で示される。さらに、宝物を見つけた時の発見者登録手順の説明本例では宝物の蓋を開錠して開け、その中のＰＤＡ１１から氏名と識別ＩＤを入力し、次いで撮影手段１３で自分の顔写真を撮影して送り、受付番号が表示されたらそれをメモして蓋を閉じ、施錠する一連の登録手順が示される。応募者はこれらを印刷等により保存する。顧客管理手段は、上述の顧客ＤＢ、応募ＩＤＤＢへの保存と共に、この応募者名、応募ＩＤ、選択地域、識別ＩＤ並びに参加受付日時としてこの保存日時を参加者ＤＢに保存する。
【００１９】
そこで、応募者は必要と思えば友達を誘って探索地域へ赴き、ヒントを参考に宝探しをする。このように、仲間と宝探しという目的を持ってその地域で遊ぶことが出来るので、非常に楽しいイベントとなる。そして、宝物を見つけた場合は、前述の発見者登録手順に従って以下のようにして現地で発見者登録をすることになる。以下、図５を参照してこの処理手順をサーバ３０の発見者管理手段の処理と共に説明する。
本例では宝物１０は、上述の通り、写真で示された置物で、その内部には前述の図２に示す宝物情報手段が収納されている。そして、宝物の発見者は、この宝物を発見すると前述の発見者登録手順に従って以下のように登録の処理をする。図示のように先ず先にメモした鍵番号により鍵を開錠して宝物１０の蓋を開ける。次いでＰＤＡ１１の入力手段により氏名と識別ＩＤの識別データを入力すると共に撮影手段により自分の顔を撮影し、これらの発見者識別情報をサーバ３０へインターネット２０を介して（図に点線で示す）伝送する。サーバ３０は、宝物１０から発見者による上述の発見者識別情報を受信すると、発見者管理手段３１０により登録処理中の表示を当該宝物１０の宝物情報手段のＰＤＡ１１に送信すると共に氏名と識別ＩＤ並びにその写真の発見者識別情報と発見日時としての受信日時を発見者ＤＢに宝物毎すなわち探索地域毎に記憶保存する。この際、探索地域毎に発見者ＤＢの当該宝物１０の発見者数と着順から受付番号を決定し、これを当該宝物１０のＰＤＡ１１に送信すると同時にこの受付番号を前記発見者識別情報と共に発見者ＤＢに記憶保存する。
【００２０】
次いで、適格者管理手段のステップに入り、発見者が適正に参加手続きした適格者であるか否かを以下のようにして管理する。発見者の入力した氏名と識別コードから参加者ＤＢ３１９を走査して識別コードと氏名を比較し、参加者ＤＢに一致するものがあれば、適格として適格者ＤＢに収録して終了する。この際、商品添付の応募ＩＤによる者と後述の有料応募の応募ＩＤによる者とをその応募ＩＤにより区分けして収録するようにしている。一致する氏名と識別ＩＤが無い場合にも一旦は適格と同様に適格者ＤＢに収録し、その旨印刷等で出力して終了する。
一方、発見者は上述の発見者管理手段の処理に従い入力が完了すると登録処理中の表示が出るので、そのまま待機する。そして暫くすると登録完了と受付番号が表示される。これで登録手続きは終わるので、受付番号を控えて置物の蓋を閉じ、施錠する。これにより発見者の宝探しは成功裏に完了し、その後は期間終了後の当選発表を待つことになる。
なお、この印刷された不適格者については、担当者がその発見者への直接の問い合わせ等により再確認を行い、不適判断の間違いが判った場合には、適格者として適格者ＤＢにそのまま残し、不適格が確認された場合は適格者ＤＢから削除する処置をする。
ところで、本例の宝物１０は、前述の図２に示す通り、ＧＰＳ手段１２と撮影手段１３を備えており、イベント管理システムはこれを利用してサーバ３０に画像管理手段３１１、宝物管理手段３１２を設け、以下のように宝物１０への接近者管理及び、宝物位置管理を行い、宝物１０の管理、発見者管理をより一層信頼性の高いものにしている。すなわち、図６に示すように、撮影手段１３は、宝物１０の蓋或いは側壁の接近者を撮影し易い位置に設けた透明窓から接近者を撮影できるように配置し、一定周期例えば数分周期で撮影してその画像信号をサーバ３０に伝送するようにしている。そして、サーバ３０に設けた画像管理手段により伝送された直近の所定期間本例では１２時間の画像信号を順次スクロールして受信日時と共に画像ＤＢに宝物毎に収録して保存するようにしている。従って、後述のＣＰＳ手段１２で宝物１０の移動等の異常が検出された場合には、必要に応じてサーバ３０はその発生日時から画像ＤＢを検索して接近者を探すことができる。また、最新の画像と記憶したそれより一定時間前の画像とを比較することにより宝物の位置変動等の異常検出に利用することができる。
【００２１】
また、図７に示すように、ＧＰＳ手段１２は、一定の周期例えば数分毎にその現在位置を測定してサーバ３０に送信するようになっており、サーバ３０に設けた宝物管理手段により位置情報ＤＢに画像管理手段と同様に直近の一定時間本例では１時間の受信した現在位置をスクロールして宝物毎に受信日時と共に収録して保存するようにしている。そして、宝物管理手段は、受信した最新の現在位置と記憶したその数回前の位置との差から位置移動量を求め、その移動量が所定距離以下の場合は記憶する位置情報を受信した最新の位置情報にスクロ−ルして保存する一方、所定距離以上の場合は宝物位置異常として警報を発するようにしている。警報が出た場合は現地スタッフに連絡して確認する。これにより宝物の盗難等の異常を早期に発見して処置でき、イベントを支障なく継続できる。
そして、本例では、図示は省略したが、所定のキャンペーン期間が終了すると、当選者決定手段が起動して、適格者ＤＢを走査して探索地域毎に適格者を抽出すると共に、適格者が予め定めた当選者数より多い場合は適格者の中から当選者を決めて、少ない場合は適格者全員を当選者として探索地域毎に当選者とその写真並びに景品をホームページに発表するようにしている。本例ではこの当選者決定は参加受付日時から宝物の発見日時までの時間とし、時間が短い順にその順位で当選としている。なお、本例では有料応募と商品添付の応募で区分けし、景品を区別するようにしている。
【００２２】
ところで、本例では特定の参加者を対象にしているので、適格者管理手段を備え、適格者を厳しく審査するようにしているが、参加者が限定されない場合は、適格者管理手段は省略される。この場合当選者は発見者ＤＢの発見者から選定される。また、本例では、選択地域毎に当選者を決めるようにしているが、同じキャンペーンに属する全ての探索地域を纏めて当選者を決めるようにすることもでき、目的に応じて選択される。
なお、本例では、図３、図４に示すように状況表示手段を設けて、前記受付選択画面で「状況表示」を選択すると、図示のように状況表示手段のステップに進み、以下のようにイベントの進行状況を表示するようにしている。すなわち、開催地域の一覧を表示し、参加者等が自分が参加している地域を選択すると、適格者ＤＢ、参加者ＤＢを検索してその地域のその時点までの発見者数、参加者数を表示するようにしている。
【００２３】
ところで、本例では、図４に示すように、商品購入者以外の個人も有料参加が出来るようになっている。すなわち、ホームページにアクセスすると前述の通り、「参加受付」、「応募受付」、「状況表示」の受付選択画面が表示されるので、応募受付を選択すると、応募受付手段のステップに進み、所定の参加料が表示されると共に、応募者名、年齢、住所、  電子メールアドレス、クレジットカード番号、応募動機、参加料支払い承認を記入する応募表を表示する。
参加者がこれらを記入する（図４の応募表記入のステップ）と、応募ＩＤ交付のステップに入り、応募ＩＤＤＢの有料応募の領域に応募順に順次記憶し、その順番を変数として所定の式で応募ＩＤを決定し、表示するようにしている。なお、この応募ＩＤは、商品購入者の応募ＩＤとは区別できるＩＤを付与するようにしている。応募者はこの応募ＩＤをメモし、完了の「ＯＫ」をクリックする。
すると、顧客管理手段のステップに進み、応募表のデータを顧客ＤＢの特定領域に保存する。このように、本例の顧客ＤＢは、商品購入者と新規顧客候補の有料応募者と区分して保存しているので、新規顧客開発、顧客ニーズの分析、新商品開発等に有益な情報が得られる。なお、本例では、この応募ＩＤにより区分して、有料参加の応募ＩＤで応募した場合は、参加表の個人情報の記入を省略出来るようにしている。
そして、この有料の応募者は、この後は商品購入者と同様にメモした応募ＩＤにより、参加受付で参加の登録をして識別ＩＤを得て、イベントに参加することになる。なお、参加料の徴収は、別途クレジットカードによる引き落としでするようにしている。
以上の本例では、有料参加としたが、目的により無料参加にすることもできる。この場合の処理も本例の料金に関わる部分を除き、本例とほぼ同様にしてできる。
【００２４】
このように、本例は、エンターテイメント性あふれる、魅力的なイベントで個人でもグループでも楽しめる宝探しイベントを誘引とする販売援助システムであり、新たな顧客になる商品購入者以外の有料参加者も期待でき、顧客吸引力が高く、顧客ＤＢを自動構築できる新規な販売援助システムを提供するものである。
なお、本例は、事業としては、宝探しイベントの企画者が、本システムでイベントを管理し、このイベントに参加する商品の供給企業は所定のライセンス料または景品を提供することで応募手段を得てその商品に添付して販売することによりキャンペーンする、企画者が独立事業で運営する形態、商品の供給企業が自社で宝探しイベントを企画して本システムにより運営して自分の商品のキャンペーンをする自社で運営する形態のいずれでも可能である。
また、複数の供給者の商品に応募手段を付与することにより、共同キャンペーンも容易に実現できる。そして、顧客ＤＢが自動構築できるので、これを協賛の商品の供給者に提供することにより、供給者も夫々の商品開発、顧客管理に利用できる。なお、協賛者毎の顧客分離は、応募ＩＤでの区分、応募票への購入商品名の記入等で容易にできる。
【００２５】
以上、本発明を商品の販促に好適な実施例に基づいて説明したが、本発明がかかる実施例に限定されないことは、その趣旨から明らかである。
例えば、本発明の宝物及びイベント管理システムは、上述の実施例の商品の販売促進の他、修学旅行、社員旅行、ツアー等の旅行企画、地域振興、商店街の共同キャンペーン、遊園地の特別企画等に広く適用できるものであることは言うまでもない。
また、イベントへの参加方法についても、実施例の応募資格を限定したクローズ方式の他、全くオープンにインターネット、往復はがきで応募して応募ＩＤを取得するオープン方式、発見者管理に必要な識別情報を氏名、生年月日、住所等にして全く自由に参加させる無制限方式、さらには全く限定された人のみが参加する完全限定方式等が適用できる。地域振興の場合には無制限方式が、逆に団体旅行には完全限定方式が適当であり、宝探しイベントへの参加方式は、その目的に応じて選択される。
【００２６】
【発明の効果】
以上、本発明は、商品の販売促進、地域、商店街等の振興、団体旅行、遊園地等のイベント等に効果的に適用できる宝探しイベントの宝物および宝物発見者をインターネット等の通信ネットワークで常時管理できる宝物イベントの宝物及びイベント管理システムを提供するものであり、宝探しイベントを広域に実施できる新しいビジネスシステムを提供するものである。
すなわち、本発明は、多数の人々が簡単に参加できる宝探しという新しいエンターテイメントを提供するものであり、参加者は宝探しというイベントが享受できる上に、景品等を獲得する機会を得ることができる。また、企画者はこの宝探しへの参加を誘引として、商品の参加者への浸透、企業イメージの向上、地域、商店街への人集め、旅行、遊園地への人集めを効果的に行うことができる。
このように、本発明は宝探しイベントをビジネスとして成立させるものである。
【図面の簡単な説明】
【図１】図１は、実施例の基本システムの説明図である。
【図２】図２は、実施例の宝物の機能ブロック図である。
【図３】図３は、実施例のサーバの本発明に関わる機能手段の構成図である。
【図４】図４は、実施例の受付部と顧客管理部の処理のフロー線図である。
【図５】図５は、実施例の発見者管理部の処理のフロー線図である。
【図６】図６は、実施例の画像管理部の処理のフロー線図である。
【図７】図７は、実施例の宝物管理部の処理のフロー線図である。
【符号の説明】
１０  宝物
１１  ＰＤＡ
１２  ＧＰＳ手段
１３  撮影手段
２０  インターネット
３０  サーバ
４０  情報端末器
【図１】
2004192373.tif 000003
【図２】
2004192373.tif 000004
【図３】
2004192373.tif 000005
【図４】
2004192373.tif 000006
【図５】
2004192373.tif 000007
【図６】
2004192373.tif 000008
【図７】
2004192373.tif 000009